(57)【要約】【課題】クラムシェル型の携帯端末機器において、簡易な構成で表示パネルの表示面の指紋や皮脂等の汚れを自動的に除去できるようにする。【解決手段】携帯端末機器１は、キー操作入力部と表示パネルを備える。このキー操作入力部は、最上層にクリーナ素材が施され且つ平らな操作面２２ａを有する。さらに、携帯端末機器１は、携帯端末機器１を振動させる振動部を備える。そして、携帯端末機器１は、折り畳まれて表示パネルの表示面２１ａが操作面２２ａに全面に亘って接触した状態で、振動部により振動させることで、表示面２１ａのクリーニングを実行する。【選択図】図２
2012175423.tif 000002
【特許請求の範囲】
【請求項１】
キー操作入力部と表示パネルが向かい合うように折り畳み可能な携帯端末機器において、
前記キー操作入力部は、最上層にクリーナ素材が施され且つ平らな操作面を有し、
前記携帯端末機器は、前記携帯端末機器を振動させる振動部を備え、折り畳まれて前記表示パネルの表示面が前記操作面に全面に亘って接触した状態で、前記振動部により振動させることで、前記表示面のクリーニングを実行することを特徴とする携帯端末機器。
【請求項２】
前記クリーニングは、折り畳まれる度に実行されることを特徴とする請求項１に記載の携帯端末機器。
【請求項３】
前記表示パネルは、タッチパネル機能が搭載されており、
前記クリーニングは、折り畳み部分が開かれてから前記タッチパネル機能により操作入力が所定のタッチ数以上なされた後に折り畳まれた場合に、実行されることを特徴とする請求項１に記載の携帯端末機器。
【請求項４】
前記表示パネルは、タッチパネル機能が搭載されており、
前記クリーニングは、折り畳み部分が開かれてから前記タッチパネル機能により操作入力がなされた後に折り畳まれる事象が、所定回数以上なされた場合に、実行されることを特徴とする請求項１に記載の携帯端末機器。
【請求項５】
前記表示パネルは、タッチパネル機能が搭載されており、
前記クリーニングは、折り畳み部分が開かれてから折り畳まれるまでに、前記タッチパネル機能によりなされた操作入力のタッチ回数に応じた時間分、実行されることを特徴とする請求項１〜４のいずれか１項に記載の携帯端末機器。
【請求項６】
前記振動部は、着信時及び／又はアラーム時に振動させるために設けた振動部であり、
前記クリーニングの実行時は、前記着信時及び／又はアラーム時とは、振動の振幅及び／又は周波数を異ならせることを特徴とする請求項１〜５のいずれか１項に記載の携帯端末機器。
【請求項７】
前記振動部とは異なる位置に、着信時及び／又はアラーム時に振動させる他の振動部を備え、
前記クリーニングの実行時は、前記着信時及び／又はアラーム時とは、振動の振幅及び／又は周波数を異ならせることを特徴とする請求項１〜５のいずれか１項に記載の携帯端末機器。
【請求項８】
前記クリーナ素材は、前記操作面側に再剥離性を持った粘着層が施されていることを特徴とする請求項１〜７のいずれか１項に記載の携帯端末機器。
【請求項９】
平らな操作面を有するキー操作入力部と表示パネルが向かい合うように折り畳み可能で、且つ振動部を備えた携帯端末機器で使用するためのクリーニングシートであって、
クリーナ素材に、該クリーナ素材を前記操作面に貼り付けるための再剥離性を持った粘着層が施されて構成されており、
前記操作面に貼り付けた状態で、前記携帯端末機器が折り畳まれたときに、前記表示パネルの表示面が前記クリーナ素材に全面に亘って接触する厚み及び広さを有することを特徴とするクリーニングシート。
【発明の詳細な説明】
【技術分野】
【０００１】
本発明は、キー操作入力部と表示パネルが向かい合うように折り畳み可能なクラムシェル型の携帯端末機器、及び携帯端末機器で使用するクリーニングシートに関する。
【背景技術】
【０００２】
従来から、携帯電話機をはじめ、携帯型の電子辞書、電子ブックリーダなど様々な携帯端末機器が流通している。そして、携帯端末機器の形状についても、クラムシェル型をはじめ、ストレート型、スライド型など様々なものが採用されている。
【０００３】
ところで、携帯端末機器は通常、その携帯性のために指紋や皮脂等の汚れが目立つ。特に表示パネルは、情報を視認するために設けられており、ユーザが注視する部位であるため、顕著である。さらに、近年のスマートフォン市場の拡大に伴って表示パネルにタッチパネル機能が搭載されることが増えてきているが、タッチパネル機能の搭載によりユーザが表示パネルに触れる機会が格段に増えるため、指紋や皮脂の汚れが多く表示面に付着して視認性を悪くしてしまう。
【０００４】
従来、このような指紋や皮脂の汚れは、ユーザがストラップなどに付属のクリーナで拭いたり、メガネ用のクリーナやハンカチで拭いたりして落としている。その他、指紋や皮脂の汚れを未然に防ぐために、携帯端末機器によっては、表示パネルに保護フィルムを貼り付ける技術や、表示パネルに耐指紋性撥油コーティングを施す技術も採用されている。
【０００５】
また、特許文献１には、自動的に画面を清掃する技術として、設置型のタッチパネル式入出力装置における画面の表面に、巻き取り可能な状態で保護シートを張り、巻き取りの際に清掃用布で自動的に清掃することが開示されている。
【先行技術文献】
【特許文献】
【０００６】
【特許文献１】特開平３−２６６０１９号公報
【発明の概要】
【発明が解決しようとする課題】
【０００７】
しかしながら、特許文献１に記載の技術は大がかりな清掃機構が必要となるため、携帯端末機器自体のサイズや重量を鑑みると、そのような大がかりな清掃機構を適用することは現実的ではない。このように、従来の技術では、表示パネルの表示面の汚れを簡易な方法で自動的に除去することはできない。
【０００８】
なお、汚れを未然に防ぐために表示パネル側に耐指紋性撥油コーティングを施す技術では、コーティングの剥がれにより効果が長期間持続せず、剥がれた後は見栄えだけでなく視認性も悪くなる。また、汚れを未然に防ぐために表示パネル側に保護フィルムを貼り付ける技術では、視野角や透明性などが損なわれ、視認性が悪くなってしまう。また、ユーザがクリーナで表示面を拭く手間を許容したとしても、表示パネルの各画素に光センサを内蔵する光センサ内蔵方式によりタッチパネル機能を搭載した携帯端末機器に至っては、電源がオフでない限り誤入力が発生ししてしまうこともある。
【０００９】
本発明は、上述のような実状に鑑みてなされたものであり、その目的は、クラムシェル型の携帯端末機器において、簡易な構成で表示パネルの表示面の指紋や皮脂等の汚れを自動的に除去できるようにすることにある。
【課題を解決するための手段】
【００１０】
上記課題を解決するために、本発明の第１の技術手段は、キー操作入力部と表示パネルが向かい合うように折り畳み可能な携帯端末機器において、前記キー操作入力部は、最上層にクリーナ素材が施され且つ平らな操作面を有し、前記携帯端末機器は、前記携帯端末機器を振動させる振動部を備え、折り畳まれて前記表示パネルの表示面が前記操作面に全面に亘って接触した状態で、前記振動部により振動させることで、前記表示面のクリーニングを実行することを特徴としたものである。
【００１１】
第２の技術手段は、第１の技術手段において、前記クリーニングは、折り畳まれる度に実行されることを特徴としたものである。
【００１２】
第３の技術手段は、第１の技術手段において、前記表示パネルは、タッチパネル機能が搭載されており、前記クリーニングは、折り畳み部分が開かれてから前記タッチパネル機能により操作入力が所定のタッチ数以上なされた後に折り畳まれた場合に、実行されることを特徴としたものである。
【００１３】
第４の技術手段は、第１の技術手段において、前記表示パネルは、タッチパネル機能が搭載されており、前記クリーニングは、折り畳み部分が開かれてから前記タッチパネル機能により操作入力がなされた後に折り畳まれる事象が、所定回数以上なされた場合に、実行されることを特徴としたものである。
【００１４】
第５の技術手段は、第１〜第４のいずれか１項の技術手段において、前記表示パネルは、タッチパネル機能が搭載されており、前記クリーニングは、折り畳み部分が開かれてから折り畳まれるまでに、前記タッチパネル機能によりなされた操作入力のタッチ回数に応じた時間分、実行されることを特徴としたものである。
【００１５】
第６の技術手段は、第１〜第５のいずれか１の技術手段において、前記振動部は、着信時及び／又はアラーム時に振動させるために設けた振動部であり、前記クリーニングの実行時は、前記着信時及び／又はアラーム時とは、振動の振幅及び／又は周波数を異ならせることを特徴としたものである。
【００１６】
第７の技術手段は、第１〜第５のいずれか１の技術手段において、前記振動部とは異なる位置に、着信時及び／又はアラーム時に振動させる他の振動部を備え、前記クリーニングの実行時は、前記着信時及び／又はアラーム時とは、振動の振幅及び／又は周波数を異ならせることを特徴としたものである。
【００１７】
第８の技術手段は、第１〜第７のいずれか１の技術手段において、前記クリーナ素材は、前記操作面側に再剥離性を持った粘着層が施されていることを特徴としたものである。
【００１８】
第９の技術手段は、平らな操作面を有するキー操作入力部と表示パネルが向かい合うように折り畳み可能で、且つ振動部を備えた携帯端末機器で使用するためのクリーニングシートであって、クリーナ素材に、該クリーナ素材を前記操作面に貼り付けるための再剥離性を持った粘着層が施されて構成されており、前記操作面に貼り付けた状態で、前記携帯端末機器が折り畳まれたときに、前記表示パネルの表示面が前記クリーナ素材に全面に亘って接触する厚み及び広さを有することを特徴としたものである。
【発明の効果】
【００１９】
本発明によれば、クラムシェル型の携帯端末機器において、簡易な構成で表示パネルの表示面の指紋や皮脂等の汚れを自動的に除去できるようになる。
【図面の簡単な説明】
【００２０】
【図１】本発明に係る携帯端末機器の一構成例を示すブロック図である。
【図２】図１の携帯端末機器におけるクリーニング動作の概要を説明するための外観図である。
【図３】図１の携帯端末機器におけるクリーニング動作の一例を説明するためのフロー図である。
【図４】図１の携帯端末機器におけるクリーニング動作の他の例を説明するためのフロー図である。
【発明を実施するための形態】
【００２１】
本発明に係る携帯端末機器は、キー操作入力部と表示パネルが向かい合うように折り畳み可能なクラムシェル型（折り畳み式）の機器であり、携帯電話機の他、携帯型の電子辞書、電子ブックリーダなど様々な機器が挙げられる。なお、本発明に係る携帯端末機器で採用するこのような折り畳みの機構には、表示パネルを反転させ、表示パネルの反対側の面がキー操作入力部と向かい合うような状態で、折り畳める機構も併せて備えてもよい。
【００２２】
以下、図面を参照しながら、本発明に係る携帯端末機器について説明する。
図１は、本発明に係る携帯端末機器の一構成例を示すブロック図で、図２は、図１の携帯端末機器におけるクリーニング動作の概要を説明するための外観図である。
【００２３】
図１で例示する携帯端末機器１は、その全体を制御する主制御部１０を備えると共に、タッチパネル部１１、キー操作入力部１２、開閉検知部１３、タイマ部１４、バイブレータ部１５、及びバイブレータ制御部１６を備える。ここで、主制御部１０は、各種設定を記憶するメモリ１０ａを備える。
【００２４】
タッチパネル部１１は、タッチパネル機能が搭載された表示パネルである。表示パネルにおける表示方式は問わず、液晶や有機ＥＬ（Electro - Luminescence）など様々な表示方式が採用できる。タッチパネル機能としては、抵抗膜方式、表面型静電容量方式、投影型静電容量方式、音響パルス認識方式、画像認識方式、光センサ内蔵方式など、様々な方式が採用できる。但し、本発明では、表示パネルにタッチパネル機能を搭載しておくことは必須ではない。しかし、タッチパネル機能が搭載されることでその表示パネルに汚れが付きやすくなるため、本発明のクリーニングの効果がより得られることになる。
【００２５】
また、携帯端末機器１は、タッチパネル部１１の他の操作入力手段として、キー操作入力部１２を備える。このキー操作入力部１２は、複数のキーが配置された操作面を有し、各キーを押下した信号は主制御部１０に伝えられるようになっている。また、キー操作入力部１２は、タッチパネル部１１とは反対側の筐体に設けられており、ユーザはタッチパネル部１１の表示面を視認しながら、配置されたキーから操作入力を行うことが可能になっている。
【００２６】
ここで、携帯端末機器１の外観について、図２を参照しながら具体的に説明する。携帯端末機器１は、図２で携帯電話機を挙げて例示するように、操作面２２ａを有するキー操作入力部１２が搭載された筐体２２と、表示面（つまりタッチ面）２１ａを有するタッチパネル部１１が搭載された筐体２１は、ヒンジ部２３で折り畳み可能に構成されている。そして、図２における中段の図に示すように、折り畳んだ状態で表示面２１ａが操作面２２ａに接するようになる。ここで、操作面２２ａの大きさ（厳密には後述するクリーナ素材が設けられた領域の大きさ）は、表示面２１ａの大きさと同じかそれより大きいものとする。
【００２７】
開閉検知部１３は、折り畳まれた状態か開かれた状態かの判定を行い、その判定結果を主制御部１０に伝える。開閉検知部１３は、タッチパネル部１１におけるセンサを利用してもよいし、操作面２２ａ（又は表示面２１ａと同じ面）に折り畳まれた状態で表示面２１ａと同じ面（又は操作面２２ａ）により押されるスイッチを設けてもよいし、ヒンジ部２３にセンサを別途設けてもよい。なお、主制御部１０は、折り畳まれた状態に移行したことを示す判定結果を受信すると、表示をＯＦＦにするなどの制御を行うことになるが、後述するように、この判定結果をトリガとしてクリーニングを実行させる制御を行うこともある。
【００２８】
タッチパネル部１１における表示の制御やタッチパネル機能を使用した操作入力、並びにキー操作入力部１２からの操作入力については、一般的な携帯端末機器と同様である。例えば、表示パネルには、主制御部１０からの制御に基づき、ユーザインターフェース画像やユーザデータが表示されることになる。このユーザインターフェース画像は、タッチパネル部１１への操作入力やキー操作入力部１２への操作入力に従って遷移し、必要に応じてユーザデータがはめ込まれる。
【００２９】
そして、本発明の主たる特徴として、キー操作入力部１２は、平らな操作面（図２の操作面２２ａ）を有し、その操作面２２ａの最上層にはクリーナ素材が施されているものとする。ここで、平らな操作面とは、キー領域と非キー領域とが同じ高さで、凹凸がないものとする。つまり、操作面２２ａはクリーナ素材が施されたシートキーで形成されていると言える。また、クリーナ素材は、その機能のために、厳密にはその表面が平らではなく、また弾力性を持った素材が採用されることが考えられるが、大局的に見て平らになっていればよい。
【００３０】
ここで、平らにした理由は、携帯端末機器１を折り畳んだ時に、表示面２１ａの全面が操作面２２ａに触れ合う（接する）ようにするためである。クリーナ素材が施されたシートキーを用い、且つ折り畳み時の隙間を無くすように筐体２１，２２及びヒンジ部２３を設計しておくことにより、携帯端末機器１をシートキーの表面とタッチパネル部１１の表示面２１ａの全面が接触する構成にすることが可能になる。なお、従来の多くの携帯端末機器では、隙間を空けるための小突起を操作面の四隅に設けてあるが、本発明では、折り畳み時の隙間を無くす必要があるため、このような小突起を設けない。
【００３１】
シートキーの表面に用いるクリーナ素材（少なくとも折り畳みにより表示面と接する部分）は、不織布であってもよいし織物であってもよい。この不織布としては、クリーナ機能を高めるために超極細繊維（マイクロファイバ）と呼ばれるものが好ましいが、所謂、フェルトを採用してもよい。マイクロファイバは、ディスプレイクリーナ等に用いられるものと同様の素材を採用してもよい。また、織物の場合でも、クリーナ機能を高めるために極細の糸を織ったものであることが好ましい。また、不織布や織物の代わりに、操作面の基材に繊毛を起毛させるように貼り付けてもよい。
【００３２】
また、後述のように本発明は振動によりクリーニングを実行するため、クリーナ素材に使用する繊維の種類や固さや空隙の度合などの製法は、振動によるクリーニング効果が上がるように選択しておけばよい。また、クリーニング効果が上がるように、生じさせる振動の振幅や周波数によって採用するクリーナ素材を選択してもよい。
【００３３】
さらに、本発明で使用するクリーナ素材は、透明又は半透明であるか、若しくは文字が印刷可能となっているか文字を折り込むことが可能である必要がある。従って、透明性又は半透明性を持たないような色や厚さの素材を採用する場合には、キー位置を示す記号（例えば「５」を入力するキーであれば「５」）を印刷しておく必要がある。その際、キーの範囲（キー領域）を示す枠も印刷しておくことが好ましい。
【００３４】
さらに、携帯端末機器１は、携帯端末機器１を振動させる振動部を備える。バイブレータ部１５及びバイブレータ制御部１６は、この振動部の一例である。バイブレータ部１５は、振動モータを有し、この振動モータの振動により携帯端末機器１を震えさせる。振動モータとしては、基本的にＤＣモータの軸に重心を偏らせた錘を取り付けた構成が一般的である。バイブレータ制御部１６は、バイブレータ部１５における振動強度（振幅）や振動パターンなどを制御する。また、タイマ部１４は、主制御部１０からの動作時間の指定に従い、計測開始からその動作時間が経過したときに主制御部１０に通知を行う。この動作時間とは、後述するようにクリーニングを実行する時間を指す。
【００３５】
そして、携帯端末機器１は、キー操作入力部１２の操作面２２ａとタッチパネル部１１の表示面２１ａが向かい合うように折り畳まれて、表示面２１ａが操作面２２ａに全面に亘って接触した状態で、振動部により振動させることで、表示面２１ａのクリーニングを実行する。
【００３６】
より具体的には、図２に示すように折り畳まれた状態になったときに、主制御部１０がバイブレータ制御部１６に指示してバイブレータ部１５を起動させて振動させ、この振動により、図２の下段の図において波線で表現したように表示面２１ａと操作面２２ａとの間に振動が生まれ、表示面２１ａと操作面２２ａとが擦れ合って、表示面２１ａに付着した汚れを除去することができる。
【００３７】
このように、本発明によれば、クリーナ素材を平らな操作面に施して携帯端末機器１を振動させるといった簡易な構成で、表示パネルの表示面の指紋や皮脂等の汚れをユーザが自らクリーナ等を用いて拭くことなく、自動的に除去でき、視認性が良い状態に保つことができる。
【００３８】
次に、図３を参照しながら、携帯端末機器１のクリーニング動作の一例を説明する。
まず、ユーザがクラムシェルを開状態で使用した状態（ステップＳ１）から閉状態へ移行させる（ステップＳ２）。ステップＳ１からステップＳ２への移行は開閉検知部１３により検知し、主制御部１０に伝えればよい。
【００３９】
そして、この移行をトリガとして、主制御部１０がタイマ部１４に対して、メモリ１０ａの設定値として予め設定された時間分だけ計時するように指示し、タイマ部１４がその計測を開始する（ステップＳ３）。上記予め設定された時間は、以下に説明するようにバイブレータ部１５を動作させる動作時間となるが、この設定値は任意の値を予め決めてメモリ１０ａに記憶させておいてもよいし、ユーザが任意に設定できるようにしてもよい。
【００４０】
ステップＳ３の処理と共に、主制御部１０は、バイブレータ制御部１６にバイブレータ部１５の駆動を指示し、これによりバイブレータ部１５がＯＮとなり（ステップＳ４）、振動が始まる（ステップＳ５）。続いて、主制御部１０は、タイマ部１４から上記予め設定された時間分のタイマが満了したことを示す通知を受け取っていない段階では（ステップＳ６でＮＯの場合）、振動動作を継続しておく（ステップＳ５）。一方で、主制御部１０は、タイマ部１４からタイマ満了の通知を受け取った段階で（ステップＳ６でＹＥＳとなったときに）、バイブレータ制御部１６に駆動ＯＦＦの指示を出し、これによりバイブレータ部１５がＯＦＦとなる（ステップＳ７）。携帯端末機器１は、このようにして、予め設定された時間分だけ、振動をＯＮにして汚れを除去する。
【００４１】
図３で説明したように、携帯端末機器１では、クリーニングを折り畳まれる度に実行するようにしてもよい。このような制御により、ユーザが自らクリーナ等で汚れを除去しなくても、使用する際には既に表示面を視認性が良い状態にしておくことが可能になる。なお、連続して複数回、開閉がなされた場合に毎回クリーニングを実行しないように、最後にクリーニングを実行した日時をメモリ１０ａ等に記憶しておき、折り畳まれたときであっても、前回の折り畳みから所定時間経過した場合のみクリーニングを実行するようにしてもよい。
【００４２】
次に、図４を併せて参照しながら、携帯端末機器１のクリーニング動作の他の例を説明する。
まず、ユーザが開状態にする動作を行い、開状態（クラムシェルを開状態）にしてしまう手前で、メモリ１０ａに格納されたディスプレイタッチ回数をクリアし（ステップＳ１１）、その後、クラムシェルを開状態へ完全に移行させる（ステップＳ１２）。続いて、主制御部１０は、クラムシェルが閉状態へ移行したか否かを開閉検知部１３からの通知により判定する（ステップＳ１３）。なお、ユーザが開状態にする動作や開状態から閉状態へ移行する動作は開閉検知部１３により検知し、主制御部１０に伝えればよい。
【００４３】
ステップＳ１３でＮＯの場合（開状態のままである場合）、主制御部１０は、タッチパネル部１１でタッチ操作が実行されたか否かを、タッチパネル部１１からの入力に基づき判定する（ステップＳ１４）。ステップＳ１４でＮＯの場合、ステップＳ１３へ戻る。一方、ステップＳ１４でＹＥＳの場合にはディスプレイタッチ回数を１つインクリメントし（ステップＳ１５）、その後、ステップＳ１３へ戻る。
【００４４】
一方、ステップＳ１３でＹＥＳの場合（閉状態に移行した場合）、主制御部１０は、ディスプレイタッチ回数を元に、動作時間を示す設定値であるタイマの長さを決定する（ステップＳ１６）。ディスプレイタッチ回数とタイマの長さとの関係を示す対応テーブルをメモリ１０ａに格納しておき、それを参照し、動作時間を示す設定値を書き直すなどすればよい。そして、ステップＳ１６の後は、図３のフロー図で説明した処理が実行される。
【００４５】
このように、ユーザがタッチ操作を行った回数をカウントして、その回数に応じてクリーニングの時間（クリーニング時に常に振動を継続させる場合には、バイブレータ部１５をＯＮにする時間）を決定するようにしてもよい。つまり、携帯端末機器１でのクリーニングは、折り畳み部分が開かれてから折り畳まれるまでに、タッチパネル機能によりなされた操作入力のタッチ回数に応じた時間分、実行されるようにしてもよい。なお、振動パターンによっては実際にはバイブレータ部１５が駆動していない時間も生じるため、そのような時間も含めて「クリーニングの時間」としておけばよいが、代わりに、振動させている正味の時間を「クリーニングの時間」としてもよい。
【００４６】
このように、動作時間を示す設定値をタッチパネル機能の使用頻度によって自動的に長短させるようにすることで、汚れに応じた時間のクリーニングが可能となる。
【００４７】
また、他の形態として、クリーニングは、折り畳み部分が開かれてからタッチパネル機能により操作入力が所定のタッチ数以上なされた後に折り畳まれた場合に、実行されるようにしてもよい。これにより、あまり汚れていないと想定されるときにはクリーニングを実行しないことになるため、省電力となる。
【００４８】
また、上記所定のタッチ数を１とすることで、タッチ数に依らずタッチの有無に依る制御を行うことができる。つまり、クリーニングは、折り畳み部分が開かれてからタッチパネル機能により操作入力がなされた後に折り畳まれた場合（閉じられた場合）に、実行されるようにしてもよい。これにより、少なくとも１回タッチ操作した後に閉じることで、自動的に表示面２１ａ上の汚れを除去することができ、次回操作する時にはタッチパネル部１１の汚れが気になることもない。
【００４９】
また、他の形態として、クリーニングは、折り畳み部分が開かれてからタッチパネル機能により操作入力がなされた後に折り畳まれる事象が、所定回数以上なされた場合に実行されるようにしてもよい。これにより、ある程度汚れていると想定される段階ではじめてクリーニングを実行することになるため、省電力となる。また、タッチパネル機能により操作入力が所定のタッチ数以上なされた後に折り畳まれる事象が、所定回数以上なされた場合に、クリーニングを実行するようにしてもよい。
【００５０】
以上、本発明におけるクリーニングが折り畳まれたときに実行されることを前提として説明したが、他の形態として、折り畳まれてから開かれることなく所定時間経過した段階で、クリーニングを実行するようにしてもよい。その場合には、折り畳まれてから着信等により振動すればそれもクリーニングとみなし、その分、クリーニングの実行を遅らせるか、クリーニングの動作時間を減らすようにすることもできる。
【００５１】
次に、クリーニングに用いる振動部の配置等について説明する。
クリーニングに用いる振動部は、電話やメールの着信時（つまり無線呼出時）及び／又はアラーム時に振動させるために設けた振動部と兼用にしてもよい。つまり、携帯端末機器１は、着信時やアラーム時に用いる振動部を利用してクリーニングするように構成してもよい。無論、この形態は、タッチパネル機能の搭載／非搭載に依らず適用できる。
【００５２】
この構成の場合、上記クリーニングの実行時は、着信時及び／又はアラーム時とは、振動の振幅及び／又は周波数を異ならせること、つまり振動パターンを異ならせることが好ましい。これは、例えば楽曲に合わせるなどして振動させるなど、着信やアラーム時と同じように振動させるよりは、クリーニングに適した振幅や周波数でクリーニングを実行した方が効果が上がるためである。クリーナ素材と表示パネルの表面の素材によって、よりきれいになる振幅、周波数を実験により見い出しておけばよい。
【００５３】
なお、振動部として振動モータを採用した場合には、基本的にＤＣモータの軸に重心を偏らせた錘を取り付けただけの構成であるため、振幅は変わらず制御ができない。よって、その場合には、クリーニングの実行時と着信時及び／又はアラーム時とで振動の周波数を異ならせる。振動の振幅と周波数、さらには位相も独立して異ならせるためには、振動モータを２個以上設けてそれぞれの振動を独立に制御すればよい。また、振動部としては、振動モータの他に例えばＶＣＭ（Voice Coil Motor）を採用することもでき、ＶＣＭでは振幅、周波数、位相を独立して制御可能である。
【００５４】
一方で、このような振動部を兼用する構成であっても、クリーニング時の振動の振幅や周波数を着信時やアラーム時と変えないようにすることもできる。特に、本発明では、クリーニングの実行を着信時の振動やアラーム時の振動だけに委ねるようにしてもよい。すなわち、本発明では、表示面２１ａと操作面２２ａが向かい合うように折り畳まれた状態で着信やアラームの事象が発生し、それを受けて振動を実行するだけで、特にクリーニングのためにわざわざ振動させることなく、クリーナ素材により表示面２１ａをクリーニングさせるようにしてもよい。この場合にも、着信時に振動も行うように設定しておくだけで、充分なクリーニング効果は得られると言える。その理由は、着信の頻度は使用の頻度と相関があると言えるためである。
【００５５】
また、表示面（画面）保護用のシートを別途貼り付けるユーザもいる。これに対応させるために、画面保護用のシートに合った振幅、周波数の設定値を、選択可能なようにメモリ１０ａに用意しておくかそのシートの包装などに記載しておくようにしてもよい。これにより、ユーザが複数の中から選択するかユーザがその設定値を入力することで、設定値の変更が可能になる。この設定値も、メモリ１０ａに格納しておき、クリーニング実行時に読み出せばよい。なお、この形態は、クリーニング時の振動の振幅や周波数を着信時やアラーム時と変えるか、変えないかに拘わらず、適用できる。
【００５６】
また、着信時やアラーム時に用いる振動部を利用してクリーニングする構成の代わりに、携帯端末機器１は、クリーニングに用いる振動部とは異なる位置に、着信時及び／又はアラーム時に振動させる他の振動部を備えるようにしてもよい。この構成の場合にも同様に、クリーニングの実行時は、着信時及び／又はアラーム時とは、振動の振幅及び／又は周波数を異ならせることが好ましい。無論、この形態も、タッチパネル機能の搭載／非搭載に依らず適用でき、また表示面（画面）保護用のシートへの対応も可能である。
【００５７】
例えば、着信時やアラーム時用の振動部を操作面２２ａ側の筺体２２に内蔵し、クリーニング用の振動部を表示面２１ａ側の筺体２１又は筐体２２の別の位置に内蔵し、それぞれの振動部での振動の振幅、周波数を異ならせる。このように、第１の振動部のみで着信やアラームに対応させ、第２の振動部のみでクリーニングに対応させてもよい。若しくは、第１の振動部のみで着信やアラームに対応させ、第１の振動部及び第２の振動部でクリーニングに対応させてもよいし、逆に、第１の振動部及び第２の振動部で着信やアラームに対応させ、第２の振動部でクリーニングに対応させてもよい。着信時やアラーム時、クリーニング時のいずれに使用するかは別として、第１の振動部及び第２の振動部の２つの振動部を用いることで、位相を異ならせることでも振動パターンを変えることができる。
【００５８】
以上、クリーナ素材が操作面に半永久的に取り付けられていることを前提に説明したが、クリーニングの繰り返しやユーザによるキー操作入力により、クリーナ素材自体が汚れることも考えられる。そのため、クリーナ素材は、キー本体から取り外しができるように、つまり再剥離可能なシールのように、再剥離性を持たせることが好ましい。すなわち、クリーナ素材には、操作面側に再剥離性を持った粘着層が施されていることが好ましい。
【００５９】
例えば、不織布又は織物が上面に取り付けられるか若しくは繊毛が埋め込まれたＰＥＴ（PolyEthylene Terephthalate）フィルムやポリイミドフィルム等の基材に、若しくは不織布又は織物に直接、シリコーン系やアクリル系の粘着剤をコーティングしておくなどすればよい。このようにクリーナ素材を、再剥離性を持たせた粘着層により操作面上に着脱可能に施すことで、クリーニングやキー操作入力により操作面が汚れたとしても取り替えが可能となる。
【００６０】
なお、このような形態では基本的に、キー操作入力部１２は、粘着層付きクリーナ素材を取り外した状態でも取り付けた状態でも平らになっている。但し、粘着層付きクリーナ素材を取り外した状態で、各キーが凸部で形成されるなどにより操作面に凹凸があったとしても、粘着層付きクリーナ素材の粘着層側がその凹凸に嵌合する凹凸を持っていれば、粘着層付きクリーナ素材を取り付けた状態で、クリーナ素材の表面（折り畳み時に表示面に接する側の表面）を平らにすることができる。
【００６１】
以上、本発明に係る携帯端末機器について説明したが、本発明はクリーニングシートとしての形態も採用することができる。本発明に係るクリーニングシートは、平らな操作面を有するキー操作入力部と表示パネルが向かい合うように折り畳み可能なクラムシェル型の携帯端末機器であって、自身を振動させる振動部を備えた携帯端末機器で使用するためのシートである。このクリーニングシートは、粘着層付きクリーナ素材として上述したように、クリーナ素材に、そのクリーナ素材を操作面に貼り付けるための粘着層が施されて構成されている。ここで、この粘着層は再剥離性を持つものとする。クリーナ素材や粘着層については上述した通りである。また、実際には、粘着層に台紙となる取り外し可能なシートを取り付けて流通させればよい。
【００６２】
そして、本発明に係るクリーニングシートは、操作面に貼り付けた状態で、携帯端末機器が折り畳まれたときに、表示面がクリーナ素材に全面に亘って接触する厚み及び広さを有するものとする。表示面のクリーニングは、上述したように、携帯端末機器が折り畳まれ表示面が操作面のクリーナ素材に全面に亘って接触した状態で、振動部により振動させることで、クリーナ素材によって実行される。換言すれば、本発明に係るクリーニングシートは、このようなクリーニングをクラムシェル型の携帯端末機器で実行させるためにキー操作入力部に貼り付けられる。
【００６３】
以上、本発明に係る携帯端末機器及びクリーニングシートに関し、表示パネルの表示面のクリーニングについてのみ説明した。しかし、折り畳み機構として表示面の反対側の面がキー操作入力部と向かい合うように折り畳む機構も併せて備えた携帯端末機器においては、反対側に折り畳んだ場合にも同様にクリーニングを実行するようにしてもよい。反対面もクリーニングできることで通常の閉じた状態での見た目も綺麗に保つことができる。特に、反対面にも簡易の表示面を有する携帯端末機器には、その簡易の表示面のクリーニングもできるため有益である。
【符号の説明】
【００６４】
１…携帯端末機器、１０…主制御部、１０ａ…メモリ、１１…タッチパネル部、１２…キー操作入力部、１３…開閉検知部、１４…タイマ部、１５…バイブレータ部、１６…バイブレータ制御部、２１…表示面側の筺体、２１ａ…表示面、２２…操作面側の筐体、２２ａ…操作面、２３…ヒンジ部。
【図１】
2012175423.tif 000003
【図２】
2012175423.tif 000004
【図３】
2012175423.tif 000005
【図４】
2012175423.tif 000006